(57)【特許請求の範囲】
【請求項１】
ファクス送信の対象とするデータを頁単位で取得するデータ取得部と、
時刻を計測する計時部と、
前記データ取得部によって取得された各頁のデータに、前記計時部によって計測された時刻を示す時刻画像を生成して合成する画像処理部と、
前記画像処理部による時刻画像合成後の前記各頁のデータを一時的に記憶する記憶部と、
前記記憶部に一時的に記憶されたデータを頁単位で読み出して、指定された相手先に各頁順に頁単位でファクス送信するファクス送信部と、
前記計時部によって計時される時刻を予め定められた条件に従って変更する時刻変更部と、
前記ファクス送信部による前記相手先への前記ファクス送信中に、前記時刻変更部が前記計時部により計時される時刻を変更したとき、当該ファクス送信の対象である全頁のデータに合成される前記時刻画像の生成に前記画像処理部が用いる時刻を、当該変更後の時刻に統一する時刻修正部と、
前記相手先となるファクシミリ装置が、受信した前記各頁のデータに含まれる前記時刻画像を差し換え可能な差し換え機能を有するか否かを判定する判定部とを備え、
前記時刻修正部は、前記ファクス送信中に前記時刻変更部が前記時刻を変更したときに、当該ファクス送信の相手先が前記差し換え機能を有すると判定部により判定された場合は、既に送信済みの頁のデータについての前記時刻画像を変更後の時刻を示す時刻画像に変更する変更指示を、当該変更後の時刻画像と共に当該相手先に送信することで、前記時刻の統一を行うファクシミリ装置。
【請求項２】
前記時刻修正部は、前記ファクス送信の対象である各頁のデータのうち、未送信頁のデータに合成される前記時刻画像の示す時刻が、送信済頁の画像に合成される前記時刻画像の示す時刻よりも早くなる場合に、前記時刻の統一を行う請求項１に記載のファクシミリ装置。
【請求項３】
前記時刻修正部は、前記時刻変更部による前記時刻の変更前後で生じる時間差が予め定められた値よりも大きいと判断した場合に、前記時刻の統一を行う請求項１に記載のファクシミリ装置。
【請求項４】
表示部と、
ユーザーから前記計時部により計時される時刻を変更する時刻変更指示を受け付ける時刻変更指示受付部と、
前記時刻変更指示受付部にユーザーから前記時刻変更指示が受け付けられたときに、前記時刻の統一を行うことが可能な旨を前記表示部に表示させる表示制御部と、
ユーザーから前記時刻の統一を行う時刻統一指示を受け付ける時刻統一指示受付部とを更に備え、
前記時刻修正部は、前記時刻統一指示受付部に前記時刻統一指示が受け付けられたときに、前記時刻の統一を行う請求項１に記載のファクシミリ装置。
【発明の詳細な説明】
【技術分野】
【０００１】
本発明は、ファクシミリ装置に関し、特に、ファクス送信の対象とするデータを変更する技術に関する。
【背景技術】
【０００２】
ファクシミリ装置においては、ファクス送信の対象とする原稿画像に、ヘッダーやフッター等によりファクス送信日時等を示す付加情報画像を付して、相手先のファクシミリ装置に原稿画像を送信する技術が用いられている。また、下記特許文献１に示されるように、ファクス送信対象とする原稿の読取で得た原稿画像を表示部に表示し、操作者から当該画像データの編集指示を受け付けて編集処理を行うことで、ユーザー所望の内容に原稿画像を変更した上で、当該原稿画像をファクス送信するファクシミリ装置が提案されている。
【先行技術文献】
【特許文献】
【０００３】
【特許文献１】特開２０００−１９６８４７号公報
【発明の概要】
【発明が解決しようとする課題】
【０００４】
上記のように、ファクス送信の対象とする原稿画像に、ヘッダーやフッター等によるファクス送信日時等の付加情報画像を付して、相手先のファクシミリ装置に原稿画像を送信する場合、例えば当該ファクシミリ装置による時間帯（サマータイム等）変更機能や時刻修正機能により、ファクス送信日時が訂正前の日時から変化しても、送信済みの原稿画像についての上記付加情報画像を変更することはできない。このため、相手先のファクシミリ装置においては、送信されてくる各頁の受信日時が大きく離れていたり、先に受信した頁よりも後に受信した頁の方が早い受信時刻とされる等の事態が生じるおそれがあり、ユーザーの混乱を招く。
【０００５】
また、上記特許文献１に示される技術では、ファクス送信の対象とする原稿の読取で得た原稿画像を表示により確認した後に原稿画像を編集しているが、既に相手先に送信した原稿画像の修正について対処するものではない。
【０００６】
本発明は、上記の問題を解決するためになされたもので、原稿画像のファクス送信中に、ファクス送信の対象とする原稿各頁の画像に付される時刻が時間帯変更や時刻修正等により変更された場合であっても、当該時刻変更後の原稿各頁の画像に付されるファクス送信時刻が不自然にならないようにすることを目的とする。
【課題を解決するための手段】
【０００７】
本発明の一局面に係るファクシミリ装置は、ファクス送信の対象とするデータを頁単位で取得するデータ取得部と、時刻を計測する計時部と、前記データ取得部によって取得された各頁のデータに、前記計時部によって計測された時刻を示す時刻画像を生成して合成する画像処理部と、前記画像処理部による時刻画像合成後の前記各頁のデータを一時的に記憶する記憶部と、前記記憶部に一時的に記憶されたデータを頁単位で読み出して、指定された相手先に各頁順に頁単位でファクス送信するファクス送信部と、前記計時部によって計時される時刻を予め定められた条件に従って変更する時刻変更部と、前記ファクス送信部による前記相手先への前記ファクス送信中に、前記時刻変更部が前記計時部により計時される時刻を変更したとき、当該ファクス送信の対象である全頁のデータに合成される前記時刻画像の生成に前記画像処理部が用いる時刻を、当該変更後の時刻に統一する時刻修正部と、前記相手先となるファクシミリ装置が、受信した前記各頁のデータに含まれる前記時刻画像を差し換え可能な差し換え機能を有するか否かを判定する判定部とを備え、前記時刻修正部は、前記ファクス送信中に前記時刻変更部が前記時刻を変更したときに、当該ファクス送信の相手先が前記差し換え機能を有すると判定部により判定された場合は、既に送信済みの頁のデータについての前記時刻画像を変更後の時刻を示す時刻画像に変更する変更指示を、当該変更後の時刻画像と共に当該相手先に送信することで、前記時刻の統一を行うものである。
【０００８】
本発明では、ファクス送信部による相手先へのファクス送信中に時刻変更部が時刻を変更したとき、時刻修正部が、当該ファクス送信の対象である全頁のデータに合成される時刻画像の生成に用いられる時刻を、当該変更前後のいずれかの時刻における時刻に統一するので、送信相手先のファクシミリ装置においては、時刻変更後の送信時刻に基づいて整合された時刻を示す時刻画像が付された原稿各頁の画像が得られる。
【発明の効果】
【０００９】
本発明によれば、原稿画像のファクス送信中に、ファクス送信の対象とする原稿各頁の画像に付される時刻が時間帯変更や時刻修正等により変更された場合であっても、当該時刻変更後の原稿各頁の画像に付されるファクス送信時刻が不自然にならないようにすることができる。
【図面の簡単な説明】
【００１０】
【図１】本発明の第１実施形態に係るファクシミリ装置としての複合機の内部構成の概略を示すブロック図である。
【図２】複合機とファクス送信の相手先となるファクシミリ装置とのファクス通信処理を示す図である。
【図３】第１実施形態に係る複合機によるファクス送信処理を示すフローチャートである。
【図４】（Ａ）はファクス送信の対象とされる各頁の画像の例を示す図、（Ｂ）は新たな生成される時刻画像としてのヘッダー画像の例を頁毎に示す図である。
【図５】相手先ファクシミリ装置において各頁のデータの内容が変更される様子を示す図である。
【図６】第１実施形態に係る複合機とファクス送信の相手先となるファクシミリ装置とのファクス通信処理を示す図である。
【図７】相手先ファクシミリ装置において受信される各頁のデータの内容の例を示す図である。
【図８】第１実施形態に係る複合機におけるファクス送信処理の他の例を示すフローチャートである。
【図９】第１実施形態に係る複合機におけるファクス送信処理の他の例を示すフローチャートである。
【図１０】第２実施形態に係る複合機の電気的構成の概略を示すブロック図である。
【図１１】第２実施形態に係る複合機におけるファクス送信処理を示すフローチャートである。
【図１２】表示部の表示画面の例を示す図である。
【発明を実施するための形態】
【００１１】
以下、本発明の実施形態に係るファクシミリ装置、及びファクス通信プログラムについて図面を参照して説明する。図１は、本発明の第１実施形態に係るファクシミリ装置としての複合機の内部構成の概略を示すブロック図である。
【００１２】
第１実施形態に係る複合機１は、制御ユニット１００と、画像読取部１１０と、画像メモリー１２０と、画像形成部１３０と、ファクシミリ通信部１４０とを有する。
【００１３】
画像読取部１１０は、原稿を読み取って原稿画像を取得するスキャナー等を備える。画像読取部１１０は、例えば原稿載置台上の原稿や、搬送されてくる原稿の画像を読み取るスキャナー、及び読取済の原稿を排出する排出機構を有するＡＤＦ（Auto Document Feeder）である。画像読取部１１０は、データ取得部の一例であり、ファクス送信の対象とされる原稿を１枚ずつ読み取ることで、ファクス送信の対象とするデータとして、各頁の原稿のデータ（原稿画像）をその頁情報と共に頁単位で取得する。なお、後述する通信インターフェイス１６０により、複合機１にネットワーク接続されているパーソナルコンピューター等から取得された各頁の原稿のデータもファクス送信の対象とされる。従って、通信インターフェイス１６０もデータ取得部の一例である。
【００１４】
画像メモリー１２０は、画像読取部１１０によって読み取られた原稿のデータ、ファクシミリ通信部１４０又は通信インターフェイス１６０により取得されたファクシミリ送信の対象となるデータ等、画像形成部１３０の印刷対象となるデータを一時的に保存する領域である。画像メモリー１２０は、画像読取部１１０によって取得された各頁の原稿のデータを一時的に記憶する記憶部として機能する。
【００１５】
画像形成部１３０は、画像読取部１１０によって読み取られた原稿のデータや、ファクシミリ通信部１４０により公衆回線を通じて他のファクシミリ装置から受信されたデータ等であって、画像メモリー１２０に記憶されているデータを読み出し、当該データを用いて画像形成（印刷）を行う。
【００１６】
ファクシミリ通信部１４０は、ファクシミリ通信に必要な諸機能を実行し、公衆回線を通じて外部のファクシミリ装置との間で画像データを送受信する。例えば、制御部１０１は、ファクス送信用に画像読取部１１０により読み取られて画像メモリー１２０に一時的に記憶されている各頁の原稿のデータを頁順に読み出して、ファクシミリ通信部１４０に、ユーザーによる操作部４７の操作で指定された相手先のファクシミリ装置に向けてファクス送信させる。
【００１７】
さらに、複合機１は、画像読取部１１０が読み取った画像の編集及び加工処理等を行う画像処理部１９０を有している。画像処理部１９０は、画像読取部１１０による読取で得られた原稿画像をなす各頁のデータのファクス送信時に、計時部１７０によって計測された送信時刻を示す時刻画像を生成して、各頁のデータに合成する。当該ファクス送信時刻の計時及び時刻画像の合成は各頁のデータについて行われる。
【００１８】
また、複合機１は、ネットワーク接続された他のパーソナルコンピューターやサーバーとの間で各種データの通信を行うための通信インターフェイス１６０とを有している。
【００１９】
制御ユニット１００は、ＣＰＵ、ＲＯＭ及びＲＡＭ等からなり、複合機１の全体的な動作を司る。制御ユニット１００は、制御部１０１と、時刻変更部１０２と、時刻修正部１０３と、判定部１０４とを備えている。なお、ＨＤＤ又は図略のＲＯＭに複合機１のファクス通信プログラムが記憶されており、制御ユニット１００は、当該ファクス通信プログラムに従って動作することにより、時刻変更部１０２、時刻修正部１０３、及び判定部１０４として機能する。但し、時刻変更部１０２、時刻修正部１０３、及び判定部１０４は、当該ファクス通信プログラムに基づく動作によらず、それぞれハード回路により構成されるものとしてもよい。以下、特に触れない限り、各実施形態について同様である。
【００２０】
制御部１０１は、複合機１の全体的な動作を司る。
【００２１】
時刻変更部１０２は、予め定められた条件に従って、計時部１７０が計時する時刻を変更する。時刻変更部１０２は、例えば、(1)サマータイム制を導入している場合のサマータイム時刻と非サマータイム時刻間での時刻変更、(2)計時部１７０による計時時刻の修正（例えば、NTPサーバーによる時刻の自動調整等）の場合に、計時部１７０により計時される時刻を変更する。なお、NTP(Network Time Protocol)サーバーは、正確な標準時刻を持つサーバーであり、複合機１をNTPサーバーに接続することにより、複合機１において計時される時刻をNTPサーバーの持つ時刻に設定する。複合機１は、当該NTPサーバーと接続して時刻を時刻変更部１０２により調整する機能を有している。
【００２２】
また、「予め定められた条件」とは、(1)計時部１７０による計時日時がサマータイム導入開始時刻に至る、又は(2) 計時部１７０による計時日時が上記NTPサーバーによる時刻の自動調整を行う時刻に至る、等である。
【００２３】
時刻修正部１０３は、ファクシミリ通信部１４０による通信相手先へのファクス送信中に、時刻変更部１０２が上記のように時刻を変更したとき、当該ファクス送信の対象とされる全頁のデータに合成される時刻画像の生成に画像処理部１９０が用いる時刻を、当該変更前後のいずれかの時刻に統一する処理を行う。時刻修正部１０３は、上記時刻画像の生成に用いられる時刻を、当該変更前後のいずれかの時刻に整合した時刻とする。当該整合した時刻の定義については、後述する。
【００２４】
例えば、(a)時刻修正部１０３は、ファクス送信中に時刻変更部１０２が時刻を変更したときに、当該ファクス送信の相手先が時刻画像を差し換え可能な差し換え機能を有すると判定部１０４により判定された場合には、既に送信済みの頁のデータについての時刻画像を、変更後の時刻に整合する時刻から生成された時刻画像に変更する変更指示を、当該生成された時刻画像と共に当該相手先に送信することにより、上記時刻の統一を行う。
【００２５】
或いは、(b)時刻修正部１０３は、ファクス送信中に時刻変更部１０２が時刻を変更したときに、当該ファクス送信の相手先が上記差し換え機能を有しないと判定部１０４により判定された場合には、画像処理部１９０が時刻画像の生成に用いる時刻を、変更前の時刻に整合する時刻とすることにより、上記時刻の統一を行う。
【００２６】
判定部１０４は、相手先となるファクシミリ装置が、受信した各頁のデータに含まれる時刻画像を差し換え可能な差し換え機能を有するか否かを判定する。例えば、判定部１０４は、ファクス送信時に相手先から返信されるファクシミリ制御信号、例えば、オプション機能を表す非標準機能識別信号としてのNSF信号に基づいて、相手先のファクシミリ装置が上記差し換え機能を有するかを判定する。上記のように、時刻修正部１０３は、判定部１０４による判定結果に基づいて、上記(a)(b)のいずれかによる時刻統一処理を行う。
【００２７】
また、複合機１は、操作部４７及び表示部１５０を備える。操作部４７は、画像形成又は送信スタートキー、テンキー及び短縮番号キー等からなり、操作者から各種操作指示、本実施形態でいえば、例えば、上記時刻を変更する指示や、時刻統一処理の実行指示等の入力を受け付ける。
【００２８】
表示部１５０は、操作者への操作案内等を表示するＬＣＤ（Liquid Crystal Display）等からなる。なお、この表示部１５０がタッチパネル機能を備えることにより、操作部４７として操作者からの各種操作指示を受け付けるようにしてもよい。
【００２９】
次に、複合機１とファクス送信の相手先となるファクシミリ装置とのファクス通信処理を説明する。図２は、複合機１とファクス送信の相手先となるファクシミリ装置とのファクス通信処理を示す図である。
【００３０】
送信側としての複合機１はそのファクシミリ通信部１４０が（以下、当該ファクス通信処理の説明において単に複合機１という）、ユーザーによる操作部４７の操作で入力されるファクス送信指示（すなわち、ファクス送信ジョブ）に基づくダイヤリングにより発呼し、CNG信号を送信して、相手先のファクシミリ装置に対して、複合機１がファクシミリ通信を行うファクシミリ装置であることを通知する（♯１）。
【００３１】
相手先のファクシミリ装置はそのファクシミリ通信部が（以下、当該ファクス通信処理の説明において単に相手先ファクシミリ装置という）が、受信側として上記CNG信号を受信すると、当該相手先ファクシミリ装置はこれに対する応答信号としてのCED信号と、オプション機能を表す非標準機能識別信号としてのNSF信号と、受信側の装置機能（CCITT仕様等）を知らせるDIS信号を複合機１に送り返す（♯２）。なお相手先ファクシミリ装置が上記差し換え機能を有する場合には、当該相手先ファクシミリ装置は、差し換え機能を有することを示す情報をNSF信号に付加した上で、NSF信号を複合機１に返信する。
【００３２】
CED信号及びDIS信号を相手先ファクシミリ装置から受信した複合機１は、当該複合機１のセットアップデータ（CCITT仕様等）を知らせるDCS信号と、モデムトレーニング用のTCF信号とを、相手先ファクシミリ装置に対して送出する（♯３）。
【００３３】
上記DCS信号及びTCF信号を受信した相手先ファクシミリ装置は、受信成功を示すCFR信号を複合機１に返信する（♯４）。
【００３４】
送信側としての複合機１が当該CFR信号を受信すると、当該ファクス送信ジョブでファクス送信対象とする第１頁目のデータ（PIX）を、相手先ファクシミリ装置に対して送信する（♯５）。さらに、複合機１は、ファクス送信の対象とする他頁のデータが存在する場合は、他頁のデータが存在することを示すMPS信号を相手先ファクシミリ装置に送信する。
【００３５】
受信側としての相手先ファクシミリ装置では、受信した第１頁目のデータ（PIX）を画像メモリーに一時的に記憶させる。そして、相手先ファクシミリ装置は、第１頁目のデータを正しく受信したことを示すMCF信号を複合機１に対して返信する（♯６）。
【００３６】
複合機１は、相手先ファクシミリ装置からMCF信号を受信すると、ファクス送信の対象とする次頁のデータがある限り次頁のデータ（PIX）及びMPS信号を相手先ファクシミリ装置に送信する。この場合、相手先ファクシミリ装置では、受信した頁のデータ（PIX）を画像メモリーに一時的に記憶させてMCF信号を複合機１に返信する♯６の処理を繰り返す。以降、複合機１がファクス送信の対象とする全頁のデータを相手先ファクシミリ装置に送信完了するまで、♯５及び♯６の処理が繰り返される。
【００３７】
そして、複合機１が、ファクス送信の対象とする最終頁のデータ（PIX）を相手先ファクシミリ装置に送信したときは、データ送信を終了することを示すEOP信号を相手先ファクシミリ装置に送信する（♯７）。相手先ファクシミリ装置は、上記最終頁のデータを受信したことを示すMCF信号を複合機１に返信する（♯８）。
【００３８】
複合機１は、EOP信号を送信した後に、相手先ファクシミリ装置から上記MCF信号を受信すると、相手先ファクシミリ装置にDCN信号を送信して回線を遮断する（♯９）。
【００３９】
次に、第１実施形態に係る複合機１によるファクス送信処理を説明する。図３は、第１実施形態に係る複合機１によるファクス送信処理を示すフローチャートである。図４（Ａ）はファクス送信の対象とされる各頁の画像の例を示す図、図４（Ｂ）は新たな生成される時刻画像としてのヘッダー画像の例を頁毎に示す図である。図５は相手先ファクシミリ装置において各頁のデータの内容が変更される様子を示す図である。図６は第１実施形態に係る複合機１とファクス送信の相手先となるファクシミリ装置とのファクス通信処理を示す図である。
【００４０】
例えば、ユーザーが画像読取部１１０の原稿載置台にファクス送信の対象とする原稿をセットし、複合機１の操作部４７を操作して送信相手先のファクシミリ番号及びファクス送信指示を入力すると、制御部１０１にファクス送信ジョブが受け付けられる。制御部１０１は、当該ファクス送信ジョブの実行を開始する（Ｓ１）。すなわち、図２に示した♯１から♯９に到る処理が開始される。制御部１０１は、計時部１７０に現在時刻の計時を開始させる（Ｓ２）。制御部１０１は、上記ファクス送信ジョブの実行開始に伴って、画像読取部１１０を駆動させ、セットされた上記原稿の読取を開始させる（Ｓ３）。画像読取部１１０による読取で得られた原稿各頁のデータは逐次に画像メモリー１２０に記憶される。
【００４１】
画像処理部１９０は、当該各頁のデータがファクス送信される時に計時部１７０に計時されている時刻t1を用いて時刻画像を生成し、この時刻画像を、画像メモリー１２０に記憶されている各頁のデータであって、当該ファクス送信の対象とされる頁のデータに合成する（Ｓ４）。
【００４２】
続いて、ファクシミリ通信部１４０は、上記時刻画像が合成された頁のデータを、上記相手先にファクス送信する（Ｓ５）。
【００４３】
上記ファクス送信中、時刻変更部１０２は、計時部１７０により計時される上記時刻t1が予め定められた条件に適合するか否か、例えば上述した(1)又は(2)に該当するかを判断している（Ｓ６）。
【００４４】
ここで、時刻変更部１０２は、上記時刻t1が予め定められた条件に適合すると判断した場合（Ｓ６でＹＥＳ）、計時部１７０により計時される時刻を、例えば上記サマータイム時刻t2、又はNTPサーバーによる時刻の自動調整後の時刻t2に変更する（Ｓ７）。すなわち、時刻変更部１０２は、画像処理部１９０が上記時刻画像の生成に用いる時刻を、上記変更後の時刻t2に変更する。
【００４５】
続いて、計時部１７０は、上記変更後の時刻t2に基づく時刻の計時T2を開始し、これと共に、上記変更前の時刻t1に基づく時刻の計時T1を開始する（Ｓ８）。
【００４６】
そして、判定部１０４は、当該相手先のファクシミリ装置からファクシミリ通信部１４０が受信したファクシミリ制御信号（例えばNSF信号）に、差し換え機能を有することを示す情報があるか否かを判断することで、相手先のファクシミリ装置が差し換え機能を有するかを判定する（Ｓ９）。
【００４７】
ここで、判定部１０４が、当該相手先のファクシミリ装置が上記差し換え機能を有する対応機であると判定した場合（Ｓ９でＹＥＳ）、時刻修正部１０３は、既にファクス送信済みの各頁のデータを送信した時のそれぞれの時刻txを、計時部１７０が計時している上記変更後の時刻t2に基づく計時T2で得られる時刻から逆算して得られる時刻txに変更し、画像処理部１９０は、当該時刻txを示す時刻画像を各頁のデータについて生成する（Ｓ１０）。
【００４８】
そして、時刻修正部１０３は、当該ファクス送信の相手先に対して、上記Ｓ１０で生成された各頁についての時刻画像と、当該相手先側からみて既に受信済みの各頁のデータにおける時刻画像部分を、当該Ｓ１０で生成された時刻画像のうちの対応する頁の時刻画像に変更させる変更指示とを送信する（Ｓ１１）。
【００４９】
判定部１０４により相手先のファクシミリ装置が対応機であると判定されている場合であって、例えば、図４（Ａ）に示すように、複合機１により頁数5頁の原稿の画像を相手先にファクス通信する場合において、第1頁から第3頁までの各頁のデータについては、それまで計時部１７０が計時していた時刻t1を示す時刻画像が合成され、当該第1頁から第3頁のデータがファクシミリ通信部１４０により相手先にファクス送信された後、サマータイム導入時刻の到来を計時部１７０が計時して、時刻変更部１０２が時刻t1をサマータイム導入後の時刻t2に変更したとする。
【００５０】
このとき、時刻修正部１０３は、計時部１７０により計時される当該変更後の時刻t2が、画像処理部１９０により時刻画像の生成に用いられるように設定する。これにより、例えば、それまで計時部１７０により計時されていた時刻t1が14時台であり、変更後の時刻t2がサマータイムの実施により1時間遡って13時台となった場合は、図４（Ａ）に示すように、既に送信された各頁のデータにおいてファクス送信時刻を示す時刻画像であるヘッダーは、本来、第1頁目が2013/10/20 14:01、第2頁目が2013/10/20 14:01、第3頁目が2013/10/20 14:02となり、上記時刻変更後にファクス送信の対象となる第4頁目のヘッダーは2013/10/20 13:03、第5頁目のヘッダーは2013/10/20 13:04となる。
【００５１】
本実施形態では、このとき、時刻修正部１０３が、上記変更後に計時される時刻t2から、サマータイムにより遡る1時間分逆算して得られる時刻txを、既に送信済みの第1頁から第3頁のデータに合成される時刻画像の生成に用いられるように設定する。図４（Ｂ）に示すように、画像処理部１９０は、上記逆算により得られる各頁送信時の時刻txを用いて、第1枚目から第3枚目までの各頁のデータについてのヘッダーを新たに生成し、第1頁目のヘッダー画像h1を2013/10/20 13:01、第2頁目のヘッダー画像h2を2013/10/20 13:01、第3頁目のヘッダー画像h3を2013/10/20 13:02とする。
【００５２】
そして、時刻修正部１０３は、ファクシミリ通信部１４０を介して、当該新たに生成された第1頁目〜第3頁目のヘッダー画像（時刻画像）を送信し、さらに、既に相手先に受信されている各頁のヘッダー画像を当該新たに生成されたヘッダー画像に変更する変更指示を、当該相手先のファクシミリ装置に送信する。
【００５３】
これにより、図５に示すように、相手先のファクシミリ装置においては、送信側としての複合機１から受信した上記変更指示に従って、既に受信しており画像メモリーに記憶させていた第1頁目〜第3頁目の各頁のデータ（図５中段）におけるヘッダー画像部分を、送信側としての複合機１から受信した上記第1頁目〜第3頁目のヘッダー画像h1, h2, h3（図５上段）に変更する処理を行う。これにより、第1枚目から第3枚目までの各頁のデータは、図５下段に示すように、第1頁目のヘッダー2013/10/20 13:01、第2頁目のヘッダー2013/10/20 13:01、第3頁目のヘッダー2013/10/20 13:02に変更される。
【００５４】
これにより、複合機１により頁数5頁の全ての頁のデータに付加されるヘッダーが示す時刻が、サマータイム導入後の時刻に整合した時刻、すなわち、上記変更後の新たな時刻に整合した時刻に統一される。なお、時刻変更部１０２により、NTPサーバーによる時刻の自動調整が行われる場合も同様である。
【００５５】
なお、このときのファクス通信では、複合機１のファクシミリ通信部１４０は、図６に示すように、Ｓ１０で生成された時刻画像に基づく上記変更処理を行うためのデータ送信を開始する旨を示す開始信号を相手先ファクシミリ装置に送信する（♯１１）。
【００５６】
相手先ファクシミリ装置は、上記開始信号を受信すると、複合機１に対して確認メッセージを返信する（♯１２）。
【００５７】
複合機１は、上記確認メッセージを相手先ファクシミリ装置から受信すると、上記変更処理の内容を示す変更信号を送信する（♯１３）。なお、上記開始信号及び変更信号が上記変更指示を構成する。
【００５８】
続けて、複合機１は、当該変更処理に用いるデータである、Ｓ１０で生成された各頁についての時刻画像を、相手先ファクシミリ装置に対して送信する（♯１４）。
【００５９】
相手先ファクシミリ装置では、受信した時刻画像のデータ（PIX）を画像メモリーに一時的に記憶させてMCF信号を複合機１に返信する処理が行われる（♯１５）。
【００６０】
上記のように送信済みの各頁についての上記時刻画像及び変更指示の送信がファクシミリ通信部１４０により完了されると、次頁のデータについてのファクス送信のための処理が開始される（Ｓ１３でＹＥＳ，Ｓ４〜Ｓ１２。なお、Ｓ１２は後述）。
【００６１】
一方、判定部１０４が、当該相手先のファクシミリ装置が上記差し換え機能を有しない（対応機ではない）と判定した場合（Ｓ９でＮＯ）、時刻修正部１０３は、Ｓ７での時刻変更前の時刻t1に基づく計時T1による時刻を、Ｓ７での時刻変更の後に画像処理部１９０が上記時刻画像の生成に用いる時刻としても設定する（Ｓ１２）。これにより、Ｓ７での時刻変更の後にファクス送信の対象とされる次頁以降のデータには、上記時刻t1に基づく計時T1による時刻を示す時刻画像が合成される。
【００６２】
図７は、相手先ファクシミリ装置において受信される各頁のデータの内容の例を示す図である。例えば、図７に示すように、判定部１０４により相手先のファクシミリ装置が対応機ではないと判定されている場合であって、上記と同様に、複合機１により頁数5頁の原稿を相手先にファクス通信する場合であって、第1頁から第3頁までの各頁のデータについては、それまで複合機１に設定されていた時刻t1を示す時刻画像が合成され、当該各頁のデータがファクシミリ通信部１４０により相手先にファクス送信された後、時刻変更部１０２により他の時刻に変更されたとする。例えば、既に送信された各頁のデータにおいてファクス送信時刻を示す時刻画像であるヘッダーが、本来、第1頁目が2013/10/20 14:01、第2頁目が2013/10/20 14:02、第3頁目が2013/10/20 14:03とする。
【００６３】
上記時刻変更によりサマータイムが導入されて1時間だけ時刻が早まったとすると、例えば、これからファクス送信の対象となる第4頁目のヘッダーは2013/10/20 13:03、第5頁目のヘッダーは2013/10/20 13:04となる。
【００６４】
しかしながら、本実施形態では、この場合、時刻修正部１０３は、画像処理部１９０に、変更前の時刻t1に基づく計時T1で得られる時刻を、画像処理部１９０が時刻画像の生成に用いる時刻に設定する。画像処理部１９０は、第4枚目及び第5枚目の各頁のデータについてのヘッダーを当該計時T1で得られる時刻を用いて新たに生成し、これからファクス送信の対象となる第4頁目のヘッダー2013/10/20 14:03、第5頁目のヘッダー2013/10/20 14:04となるように、新たに生成した時刻画像を各頁のデータに合成する。
【００６５】
これにより、複合機１により頁数5頁の全ての頁のデータに付加されるヘッダーが示す時刻が、サマータイム導入前の時刻に整合した時刻、すなわち、上記変更前の新たな時刻に整合した時刻に統一される。なお、時刻変更部１０２により、NTPサーバーによる時刻の自動調整が行われる場合も同様である。
【００６６】
なお、上記Ｓ６において、時刻変更部１０２は、計時部１７０により計時される時刻t1が予め定められた条件に適合しないと判断した場合（Ｓ６でＮＯ）、Ｓ７〜Ｓ１２は行われず、処理はＳ１３に移り、次にファクス送信の対象とされる頁のデータの処理が行われる。すなわち、次にファクス送信の対象とされる頁のデータについては、上記時刻画像の生成及び合成がされることなく現在時刻t1を用いて時刻画像が生成され、当該生成された時刻画像が次頁のデータに合成される。
【００６７】
そして、ファクシミリ通信部１４０により画像メモリー１２０に記憶されている全ての未送信の頁のデータがファクス送信され、画像メモリー１２０に未送信の各頁のデータが記憶されていない状態となったとき（Ｓ１３でＮＯ）、当該ファクス送信ジョブが終了する。
【００６８】
このように、第１実施形態に係る複合機１によれば、時刻修正部１０３は、ファクス送信中に時刻変更部１０２が上記のようにして時刻を変更したときに、当該ファクス送信の相手先が対応機であると判定部１０４により判定されれば、既に送信済みの頁のデータについての上記時刻画像を、変更後の時刻を示す時刻画像に変更する変更指示を当該相手先に送信するので、相手先のファクシミリ装置においては、時刻変更後の送信時刻に整合した時刻画像を有する原稿各頁の画像が得られる。
【００６９】
また、第１実施形態に係る複合機１によれば、ファクス送信中に時刻変更部１０２が時刻を変更したときに、当該ファクス送信の相手先が対応機ではないと判定部１０４により判定された場合には、時刻修正部１０３は、画像処理部１９０が時刻画像の生成に用いる時刻を、変更前の時刻とするので、相手先のファクシミリ装置においては、時刻変更前の送信時刻に整合した時刻画像を有する原稿各頁の画像が得られる。
【００７０】
すなわち、上記第１実施形態に係る複合機１によれば、ファクシミリ通信部１４０による相手先へのファクス送信中に、時刻変更部１０２が時刻を変更したとき、時刻修正部１０３は、当該ファクス送信の対象である全頁のデータに合成される時刻画像の生成に用いる時刻を、当該変更前後のいずれかの時刻に整合した時刻に統一するので、相手先のファクシミリ装置においては、時刻変更後の原稿各頁の画像に付される送信時刻と、時刻変更前の送信時刻とが整合した時刻画像を有する原稿各頁の画像が得られる。
【００７１】
なお、第１記実施形態にかかる複合機１によれば、上記判定部１０４を備え、判定部１０４による判定結果に応じて、Ｓ１０及びＳ１１の処理の両方か、或いはＳ１２が行われるが、複合機１としては、判定部１０４を有さず、Ｓ１０及びＳ１１を行うものであってもよいし、Ｓ１２の処理を行うものであってもよい。また、後述する第２実施形態に係る複合機１、及び以下に示す各ファクス送信処理においても同様である。
【００７２】
次に、第１実施形態に係る複合機１におけるファクス送信処理の他の例を説明する。図８は、第１実施形態に係る複合機１におけるファクス送信処理の他の例を示すフローチャートである。なお、図３に示したファクス送信処理における処理と同様の処理は説明を省略する。
【００７３】
このファクス送信処理では、時刻変更部１０２が、計時部１７０により計時される時刻t1が上述した条件に適合すると判断し（Ｓ２６でＹＥＳ）、画像処理部１９０が時刻画像の生成に用いる時刻を他の時刻に変更させたとき（Ｓ２７）、時刻修正部１０３は、当該変更により採用される新時刻t2が、当該変更前の時刻t1よりも早くなるか否かを判断する（Ｓ２９）。
【００７４】
ここで、時刻修正部１０３が、新時刻t2が変更前の時刻t1よりも早くなると判断した場合に（Ｓ２９でＹＥＳ）、判定部１０４による判定結果に応じて（Ｓ３０）、時刻統一処理であるＳ３１及びＳ３２（図３におけるＳ１０及びＳ１１と同様）、又はＳ３３（図３におけるＳ１２と同様）が行われる。
【００７５】
一方、時刻修正部１０３が、新時刻t2が変更前の時刻t1よりも早くならないと判断した場合は（Ｓ２９でＮＯ）、時刻修正部１０３は、画像処理部１９０が上記時刻画像の生成に用いる時刻を新時刻t2に設定する。この場合、Ｓ３０〜Ｓ３３の処理は行われず、処理はＳ３４に移る。
【００７６】
これにより、相手先のファクシミリ装置において受信された各頁のデータについて、先に受信した頁のデータに付されている時刻画像の示す時刻よりも、後に受信した頁のデータに付されている時刻画像の示す時刻の方が早い時刻となって、受信された各頁の画像を視認したユーザーが、各頁のデータの受信時刻の把握に混乱を生じるおそれが高い場合に上記時刻統一処理が行われ、先に受信した頁のデータに付されている時刻画像の示す時刻と、後に受信した頁のデータに付されている時刻画像の示す時刻との先後関係が矛盾しておらずユーザーが混乱を生じ難い場合は、上記時刻統一処理が行われない。このため、ユーザーの混乱防止に真に貢献する場合に限定して、上記時刻統一処理を行うことが可能になる。
【００７７】
次に、第１実施形態に係る複合機１におけるファクス送信処理の更に他の例を説明する。図９は、第１実施形態に係る複合機１におけるファクス送信処理の他の例を示すフローチャートである。なお、図３又は図８に示したファクス送信処理における処理と同様の処理は説明を省略する。
【００７８】
このファクス送信処理では、時刻変更部１０２が、計時部１７０により計時される時刻t1が上述した条件に適合すると判断し（Ｓ４６でＹＥＳ）、画像処理部１９０が時刻画像の生成に用いる時刻を他の時刻に変更させたとき（Ｓ４７）、時刻修正部１０３は、時刻変更部１０２による時刻変更の前後で生じる時間差が予め定められた値よりも大きいか否かを判断する（Ｓ４９）。
【００７９】
例えば、時刻変更部１０２による変更前の時刻t1と、変更後の時刻t2との時間差が、予め定められた値（所定値）としての例えば1分よりも大きいか否かを、時刻修正部１０３が判断する。
【００８０】
ここで、時刻修正部１０３が、時刻変更部１０２による時刻変更の前後で生じる時間差が上記予め定められた値よりも大きいと判断した場合に（Ｓ４９でＹＥＳ）、判定部１０４による判定結果に応じて（Ｓ５０）、時刻統一処理であるＳ５１及びＳ５２（図３におけるＳ１０及びＳ１１と同様）、又はＳ５３（図３におけるＳ１２と同様）が行われる。
【００８１】
一方、時刻修正部１０３が、時刻変更部１０２による時刻変更の前後で生じる時間差が上記予め定められた値よりも大きくならないと判断した場合は（Ｓ４９でＮＯ）、時刻修正部１０３は、画像処理部１９０が上記時刻画像の生成に用いる時刻を新時刻t2に設定する。この場合、Ｓ５０〜Ｓ５３の処理は行われず、処理はＳ５４に移る。
【００８２】
これにより、相手先のファクシミリ装置においては、時刻変更部１０２による時刻の変更前後での時間差が大きく、ファクスを受信したユーザーが各頁のデータについての受信時刻に混乱を生じるおそれが高い場合に上記時刻統一処理が行われるものとし、先に受信した頁のデータに付されている時刻画像の示す時刻と、後に受信した頁のデータに付されている時刻画像の示す時刻とが比較的接近しておりユーザーが混乱を生じ難い場合は、上記時刻統一処理が行われない。このため、ユーザーの混乱防止に真に貢献する場合に限定して、上記時刻統一処理を行うことが可能となる。
【００８３】
次に、第２実施形態に係る複合機１を説明する。図１０は、第２実施形態に係る複合機１の電気的構成の概略を示すブロック図である。なお、第１実施形態と同様の構成については説明を省略する。
【００８４】
第２実施形態に係る複合機１は、制御ユニット１００に、更に、時刻変更指示受付部１０５と、時刻統一指示受付部１０６とを更に備えている。
【００８５】
時刻変更指示受付部１０５は、ユーザーによる操作部４７の操作に基づいて、当該ユーザーから上記時刻を変更する時刻変更指示を受け付ける。
【００８６】
時刻統一指示受付部１０６は、ユーザーから上記の時刻統一処理の実行を指示する時刻統一指示を受け付ける。この「時刻の統一処理」とは、上述した(i)図３におけるＳ１０及びＳ１１、(ii)図３におけるＳ１２について、(i)(ii)の両方、又は(i)(ii)の少なくとも一方である。
【００８７】
第２実施形態にかかる複合機１では、時刻修正部１０３は、時刻統一指示受付部１０６に時刻統一指示が受け付けられたときに、上記時刻統一処理を実行する。
【００８８】
さらに、制御部１０１が表示制御部として機能し、当該制御部１０１は、時刻変更指示受付部１０５にユーザーから時刻変更指示が受け付けられたときに、時刻の統一処理を行うことが可能な旨を表示部１５０に表示させる。
【００８９】
なお、第２実施形態に係る複合機１の場合も、ＨＤＤ又は図略のＲＯＭに記憶されたファクス通信プログラムに従って制御ユニット１００が動作することにより、制御ユニット１００は、時刻変更部１０２、時刻修正部１０３、及び判定部１０４に加えて、表示制御部としての制御部１０１と、時刻変更指示受付部１０５と、時刻統一指示受付部１０６として機能する。但し、時刻変更部１０２、時刻修正部１０３、判定部１０４、表示制御部としての制御部１０１、時刻変更指示受付部１０５、及び時刻統一指示受付部１０６は、当該ファクス通信プログラムに基づく動作によらず、それぞれハード回路により構成されるものとしてもよい。
【００９０】
次に、第２実施形態に係る複合機１におけるファクス送信処理を説明する。図１１は、第２実施形態に係る複合機１におけるファクス送信処理を示すフローチャートである。なお、図３、図８、又は図９に示したファクス送信処理における処理と同様の処理は説明を省略する。
【００９１】
第２実施形態に係る複合機１におけるファクス送信処理では、時刻変更部１０２が、計時部１７０により計時される時刻t1が予め定められた条件に適合しないと判断したときであっても（Ｓ６６でＮＯ）、ユーザーによる操作部４７の操作に基づいて、時刻変更指示受付部１０５が当該ユーザーからの上記時刻変更指示を受け付けたときは（Ｓ７３でＹＥＳ）、時刻変更部１０２が、画像処理部１９０により時刻画像の生成に用いられる時刻を他の時刻に変更させる（Ｓ７４）。このとき、制御部１０１は、図１２に例を示すように、時刻の統一処理を行うことが可能な旨、例えば、各頁のデータに付される時刻画像を、上記時刻変更の前後のいずれかの時刻に整合させた時刻を示す時刻画像に統一可能な旨を、表示部１５０に表示させる（Ｓ７５）。
【００９２】
ここで、ユーザーによる操作部４７の操作に基づいて、例えば、図１２に示す表示画面Ｄ１の実行ボタンＢ１をユーザーが押下してタッチパネル機能により時刻統一指示が入力され、時刻統一指示受付部１０６が当該時刻統一指示を受け付けると（Ｓ７６でＹＥＳ）、処理はＳ６９に移る。すなわち、判定部１０４による判定結果に応じて（Ｓ６９）、時刻統一処理であるＳ７０及びＳ７１（図３におけるＳ１０及びＳ１１と同様）、又はＳ７２（図３におけるＳ１２と同様）が行われる。
【００９３】
なお、Ｓ７３において時刻変更指示受付部１０５が、ユーザーからの上記時刻変更指示を受け付けない場合と（Ｓ７３でＮＯ）、Ｓ７６において時刻統一指示受付部１０６が時刻統一指示を受け付けない場合は（Ｓ７６でＮＯ）、処理はＳ７７に移る。
【００９４】
この実施形態によれば、ユーザーからの指示に基づいて時刻変更を行う場合に、当該ユーザーが、各頁データに付される時刻画像を、上記時刻変更の前後のいずれかの時刻に整合して一貫性を有するものとするか、上記時刻変更により計時されるそのままの時刻を示す時刻画像が各頁データに付されるようにするかを選択することが可能になる。
【００９５】
また、本発明は上記実施の形態の構成に限られず種々の変形が可能である。図１乃至図１２を用いて上記各実施形態に示した構成及び処理は、本発明の一実施形態に過ぎず、本発明の構成及び処理はこれに限定されるものではない。
【符号の説明】
【００９６】
１      複合機
１００  制御ユニット
１０１  制御部
１０２  時刻変更部
１０３  時刻修正部
１０４  判定部
１０５  時刻変更指示受付部
１０６  時刻統一指示受付部
１１０  画像読取部
１２０  画像メモリー
１３０  画像形成部
１４０  ファクシミリ通信部
１５０  表示部
１７０  計時部
１９０  画像処理部
【図１】
0005953295.tif 000002
【図２】
0005953295.tif 000003
【図３】
0005953295.tif 000004
【図４】
0005953295.tif 000005
【図５】
0005953295.tif 000006
【図６】
0005953295.tif 000007
【図７】
0005953295.tif 000008
【図８】
0005953295.tif 000009
【図９】
0005953295.tif 000010
【図１０】
0005953295.tif 000011
【図１１】
0005953295.tif 000012
【図１２】
0005953295.tif 000013